(57)【要約】【課題】処理状態の違いに起因する操作可能／不可能ボタンの変化が発生した場合において操作可能／不可能ボタンの提示を行うことが可能なリモコン装置を提供する。【解決手段】処理状態を確認する処理状態確認部を用いて定期的に画像処理装置の処理状態を確認する。そして確認された処理状態において、画像処理装置がリモコン装置より受付可能なリモコンコードの判別を行う。この判別には、処理状態と受け付け可能リモコンコードとを予め関連付けて記録したリモコンコード管理テーブルを用いる。受付可能と判別されたリモコンコードを示す情報は、受付可能情報送信部により、信号送信部を用いてリモコン装置に送信される。リモコン装置はこれを受信し、画像処理装置が受付可能であるリモコンコードを送信するための操作ボタンのバックライトを点灯させる。【選択図】図５
2008199293.tif 000002
【特許請求の範囲】
【請求項１】
リモコン装置から信号を受信し、前記信号に含まれるリモコンコードに基づいて動作可能な画像処理装置であって、
前記リモコン装置に対して信号を送信する信号送信部と、
前記画像処理装置の処理状態を確認する処理状態確認部と、
前記処理状態と前記処理状態において受付可能なリモコンコードとを関連付けた関連情報を記録するハードディスクと、
前記処理状態確認部により定期的に前記処理状態を確認し、確認された前記処理状態において受付可能なリモコンコードを前記関連情報を用いて判別する定期判別部と、
前記リモコンコードを受け付けた際に、前記リモコンコードに含まれる指示により前記画像処理装置の処理状態が変化するかどうかを判定する状態変化判定部と、
前記状態変化判定部により前記処理状態が変化すると判定された際に、変化後の処理状態において前記画像処理装置が受付可能なリモコンコードを前記関連情報を用いて判別する変化時判別部と、
前記定期判別部或いは前記変化時判別部により判別された前記リモコンコードを示す受付可能情報を、前記信号送信部を用いて前記リモコン装置に対して送信する受付可能コード送信部と、
を備えたことを特徴とする画像処理装置。
【請求項２】
請求項１に記載の画像処理装置の操作を行うリモコン装置であって、
バックライトを備えた操作ボタン群と、
前記操作ボタン群の操作を検知した際に、前記操作に対応するリモコンコードを画像処理装置に送信するリモコンコード送信部と、
前記画像処理装置から信号を受信する信号受信部と、
前記信号受信部を用いて前記画像処理装置から前記受付可能情報を含む信号を受信する受付可能情報受信部と、
受信した前記受付可能情報に基づき、前記画像処理装置が受付可能なリモコンコードを判別し、判別した前記リモコンコードを前記リモコンコード送信部を用いて送信するための操作ボタンを前記操作ボタン群の中から判別する操作可能ボタン判別部と、
前記操作可能ボタン判別部により判別された前記操作ボタンのバックライトを点灯させるバックライト点灯部とを備え、
前記操作可能ボタン判別部が、前記画像処理装置が受付可能なリモコンコードを前記リモコンコード送信部を用いて送信するために長押し操作が必要な操作ボタンを前記操作ボタン群の中から判別し、
前記バックライト点灯部が、前記操作可能ボタン判別部により長押し操作が必要であると判別された前記操作ボタンのバックライトを点滅させること
を特徴とするリモコン装置。
【請求項３】
リモコン装置から信号を受信し、前記信号に含まれるリモコンコードに基づいて動作可能な画像処理装置であって、
前記リモコン装置に対して信号を送信する信号送信手段と、
前記画像処理装置の処理状態を確認する処理状態確認手段と、
前記処理状態と前記処理状態において受付可能なリモコンコードとを関連付けた関連情報を記録する記録手段と、
前記処理状態確認手段により定期的に前記処理状態を確認し、確認された前記処理状態において受付可能なリモコンコードを前記関連情報を用いて判別する定期判別手段と、
前記定期判別手段により判別された前記リモコンコードを示す受付可能情報を、前記信号送信手段を用いて前記リモコン装置に対して送信する受付可能情報送信手段と、
を備えたことを特徴とする画像処理装置。
【請求項４】
リモコン装置から信号を受信し、前記信号に含まれるリモコンコードに基づいて動作可能な画像処理装置であって、
前記リモコン装置に対して信号を送信する信号送信手段と、
前記リモコンコードを受け付けた際に、前記リモコンコードに含まれる指示により前記画像処理装置の処理状態が変化するかどうかを判定する状態変化判定手段と、
前記処理状態と前記処理状態において受付可能なリモコンコードとを関連付けた関連情報を記録する記録手段と、
前記状態変化判定手段により前記処理状態が変化すると判定された際に、変化後の処理状態において前記画像処理装置が受付可能なリモコンコードを前記関連情報を用いて判別する変化時判別手段と、
前記変化時判別手段により判別された前記リモコンコードを示す受付可能情報を、前記信号送信手段を用いて前記リモコン装置に対して送信する受付可能情報送信手段と、
を備えたことを特徴とする画像処理装置。
【請求項５】
バックライトを備えた操作ボタン群と、
前記操作ボタン群の操作を検知した際に、前記操作に対応するリモコンコードを画像処理装置に送信するリモコンコード送信手段と
を備えたリモコン装置であって、
前記画像処理装置から信号を受信する信号受信手段と、
前記信号受信手段を用いて請求項３または請求項４に記載の前記画像処理装置から前記受付可能情報を含む信号を受信する受付可能情報受信手段と、
受信した前記受付可能情報に基づき、前記画像処理装置が受付可能なリモコンコードを判別し、判別した前記リモコンコードを前記リモコンコード送信手段を用いて送信するための操作ボタンを前記操作ボタン群の中から判別する操作可能ボタン判別手段と、
前記操作可能ボタン判別手段により判別された前記操作ボタンのバックライトを点灯させる点灯手段と、
を備えたことを特徴とするリモコン装置。
【請求項６】
前記操作可能ボタン判別手段が、前記画像処理装置が受付可能なリモコンコードを前記リモコンコード送信手段を用いて送信するために長押し操作が必要な操作ボタンを前記操作ボタン群の中から判別し、
前記点灯手段が、前記操作可能ボタン判別部により長押し操作が必要であると判別された前記操作ボタンのバックライトを点滅させること
を特徴とする請求項５に記載のリモコン装置。
【発明の詳細な説明】
【技術分野】
【０００１】
本発明は、リモコン装置及びリモコン装置より指示信号を受け付けて動作する画像処理装置に関するものであり、特にリモコン装置において操作可能なボタンを示す機能を備えたリモコン装置及び画像処理装置に関する。
【背景技術】
【０００２】
今日、テレビやビデオ等の画像処理装置の操作を遠隔的に行うための装置として、リモコン装置が広く普及している。リモコン装置を用いれば、ユーザは画像処理装置から離れた場所から、画像処理装置の各種操作を行うことが可能である。近年、画像処理装置の高機能化、及び複数の画像処理装置を組み合わせた複合機（例えばＤＶＤレコーダ内蔵液晶テレビ等）の普及に伴い、リモコン装置に備えられる操作ボタン群が複雑化する傾向がある。
【０００３】
例えば近年に普及しだしたＤＶＤレコーダ内蔵液晶テレビにおいては、ＤＶＤの再生或いは録画の他に、テレビチューナが受信する放送局の選局や、音量の調節、或いは録画予約設定等が一つのリモコン装置で行うことが可能である。
【０００４】
上記のような多様な機能を備えた画像処理装置を操作する場合、従来のような操作ボタン数の少ないリモコン装置では十分な操作性が得られない。このため、画像処理装置の複雑化に伴い、リモコン装置が備える操作ボタンの数が増える傾向があった。
【０００５】
しかし操作ボタン数が増加することに伴い、画像処理装置側の処理状態によって、使用可能であるボタンと使用不可能であるボタンが出現するようになった。また、同じボタンであっても、画像処理装置側の処理状態によって機能が変化するボタンも出現するようになった。
【０００６】
例えば、画像処理装置が録画予約画面を表示している処理状態において再生指示を受け付けたとする。しかしこの場合、再生処理を実行せず録画予約画面の表示を優先する仕様の画像処理装置が存在する。この場合、ユーザは再生ボタンを押下しているのに再生処理が行われないため、画像処理装置或いはリモコン装置が壊れているのではないかと誤解する可能性がある。
【０００７】
また例えば、録画予約画面において決定指示を行うためのボタンがエンターボタン、画質調整画面で決定指示を行うためのボタンがスペースボタンといったように、同じ決定指示を行うにも関わらず使用するボタンが異なる場合がある。このため例えば、操作に不慣れなユーザが画質調整画面でエンターボタンを押下しても応答が得られない等の、誤操作を招く可能性があった。
【０００８】
上記の問題に関連して特許文献１においては、ユーザが多機種の電子機器を同時に操作できるリモコン装置を操作する際に、操作可能な操作キー（＝操作ボタン）がどのキーであるか、また、その操作キーを操作することによって、どの電子機器を操作することができるかを容易に判断できるリモコン装置が開示されている。
【０００９】
特許文献１のリモコン装置は、操作可能な複数の電子機器の中から、操作したい電子機器を選択する複数のモード切換キーと、電子機器を操作する操作キーと、前記モード切換キーを表示させる照明手段と、前記操作キーを表示させる照明手段を備えている。複数のモード切換キーの内、１つのモード切換キーを押した時、照明手段により、その押されたモード切換キーと、そのモード切換キーによって選択された電子機器を操作する操作キーとを同色に表示する。
【特許文献１】特開２００２−３１５０８０号公報
【発明の開示】
【発明が解決しようとする課題】
【００１０】
しかしながら、上記特許文献１に開示されているリモコン装置においては、操作する複数の電子機器の違いに基づいて操作可能／不可能ボタンの提示を行うことはできるが、一つの電子機器における処理状態の変化に起因する操作可能／不可能ボタンの提示は行うことができなかった。
【００１１】
本発明は、上記の問題を鑑みてなされたものであり、一つの画像処理装置において処理状態の違いに起因する操作可能／不可能ボタンの変化が発生した場合においても、ユーザに対して操作可能／不可能ボタンの提示を行うことが可能なリモコン装置及び画像処理装置を提供することにある。
【課題を解決するための手段】
【００１２】
上記目的を達成するために本発明の画像処理装置は、リモコン装置から信号を受信し、前記信号に含まれるリモコンコードに基づいて動作可能な画像処理装置であって、前記リモコン装置に対して信号を送信する信号送信部と、前記画像処理装置の処理状態を確認する処理状態確認部と、前記処理状態と前記処理状態において受付可能なリモコンコードとを関連付けた関連情報を記録するハードディスクと、前記処理状態確認部により定期的に前記処理状態を確認し、確認された前記処理状態において受付可能なリモコンコードを前記関連情報を用いて判別する定期判別部と、前記リモコンコードを受け付けた際に、前記リモコンコードに含まれる指示により前記画像処理装置の処理状態が変化するかどうかを判定する状態変化判定部と、前記状態変化判定部により前記処理状態が変化すると判定された際に、変化後の処理状態において前記画像処理装置が受付可能なリモコンコードを前記関連情報を用いて判別する変化時判別部と、前記定期判別部或いは前記変化時判別部により判別された前記リモコンコードを示す受付可能情報を、前記信号送信部を用いて前記リモコン装置に対して送信する受付可能コード送信部とを備えたことを特徴としている。
【００１３】
これによると、本発明の画像処理装置は、外部のリモコン装置から信号を受信する信号受信部を備えている。そして受信した信号に含まれるリモコンコードに基づいて動作可能である。リモコンコードとしては、例えば画像処理装置の電源起動指示コマンド等が存在する。また本発明の画像処理装置は、リモコン装置に対して信号を送信する信号送信部を備えている。画像処理装置は複数の処理状態を備えており、例えばテレビ放送の録画処理を行う録画処理状態、或いはユーザより録画予約を受け付けるためのＯＳＤ表示処理を行うＯＳＤ表示処理状態等の処理状態が存在する。そして処理状態毎に、受け付け可能なリモコンコードの種別が異なる。この処理状態を確認するのが処理状態確認部である。定期判別部は、処理状態確認部を用いて定期的に画像処理装置の処理状態を確認する。そして確認された処理状態において、画像処理装置がリモコン装置より受付可能なリモコンコードの判別を行う。この判別には、処理状態と受け付け可能リモコンコードとを予め関連付けて記録したリモコンコード管理テーブル（＝関連情報）を用いる。なおリモコンコード管理テーブルは、ハードディスク等の記録装置に記録されている。定期判別部により受付可能と判別されたリモコンコードを示す情報（＝受付可能情報）は、受付可能情報送信部により、信号送信部を用いてリモコン装置に送信される。
【００１４】
また、上記目的を達成するために本発明のリモコン装置は、請求項１に記載の画像処理装置の操作を行うリモコン装置であって、バックライトを備えた操作ボタン群と、前記操作ボタン群の操作を検知した際に、前記操作に対応するリモコンコードを画像処理装置に送信するリモコンコード送信部と、前記画像処理装置から信号を受信する信号受信部と、前記信号受信部を用いて前記画像処理装置から前記受付可能情報を含む信号を受信する受付可能情報受信部と、受信した前記受付可能情報に基づき、前記画像処理装置が受付可能なリモコンコードを判別し、判別した前記リモコンコードを前記リモコンコード送信部を用いて送信するための操作ボタンを前記操作ボタン群の中から判別する操作可能ボタン判別部と、前記操作可能ボタン判別部により判別された前記操作ボタンのバックライトを点灯させるバックライト点灯部とを備え、前記操作可能ボタン判別部が、前記画像処理装置が受付可能なリモコンコードを前記リモコンコード送信部を用いて送信するために長押し操作が必要な操作ボタンを前記操作ボタン群の中から判別し、前記バックライト点灯部が、前記操作可能ボタン判別部により長押し操作が必要であると判別された前記操作ボタンのバックライトを点滅させることを特徴としている。
【００１５】
これによると、本発明のリモコン装置は、操作ボタン群の一部或いは全部の操作ボタンにバックライトを備えている。また、操作対象の画像処理装置から信号を受信する信号受信部を備えている。受付可能情報受信部は、信号受信部を用いて、画像処理装置から受付可能情報含む信号を受信する。そして受信された信号に含まれる受付可能情報に基づき、操作可能ボタン判別部が、画像処理装置が受付可能であるリモコンコードを送信するための操作ボタンを、操作ボタン群の中から判別する。判別結果はバックライト点灯部に与えられる。バックライト点灯部は判別結果に基づき、操作可能ボタンのバックライトを点灯させる。また操作可能ボタン判別部は、通常操作ではなく、長押し操作（＝所定時間を越えてボタン押下し続けることにより有効と見なされる操作）が可能である操作ボタンを判別する。判別された長押し操作可能ボタンは、バックライト点灯部に通知される。バックライト点灯部はこの通知に基づき、長押し操作可能ボタンのバックライトの点滅（＝所定の間隔で点灯と消灯とを繰り返す）を行う。
【００１６】
上記目的を達成するために本発明の画像処理装置は、リモコン装置から信号を受信し、前記信号に含まれるリモコンコードに基づいて動作可能な画像処理装置であって、前記リモコン装置に対して信号を送信する信号送信手段と、前記画像処理装置の処理状態を確認する処理状態確認手段と、前記処理状態と前記処理状態において受付可能なリモコンコードとを関連付けた関連情報を記録する記録手段と、前記処理状態確認手段により定期的に前記処理状態を確認し、確認された前記処理状態において受付可能なリモコンコードを前記関連情報を用いて判別する定期判別手段と、前記定期判別手段により判別された前記リモコンコードを示す受付可能情報を、前記信号送信手段を用いて前記リモコン装置に対して送信する受付可能情報送信手段とを備えたことを特徴としている。
【００１７】
これによると、本発明の画像処理装置は、外部のリモコン装置から信号を受信する信号受信部を備えている。そして受信した信号に含まれるリモコンコードに基づいて動作可能である。リモコンコードとしては、例えば画像処理装置の電源起動指示コマンド等が存在する。また本発明の画像処理装置は、リモコン装置に対して信号を送信する信号送信部（＝信号送信手段）を備えている。画像処理装置は複数の処理状態を備えており、例えばテレビ放送の録画処理を行う録画処理状態、或いはユーザより録画予約を受け付けるためのＯＳＤ表示処理を行うＯＳＤ表示処理状態等の処理状態が存在する。そして処理状態毎に、受け付け可能なリモコンコードの種別が異なる。この処理状態を確認するのが処理状態確認部（＝処理状態確認手段）である。定期判別部（＝定期判別手段）は、処理状態確認部を用いて定期的に画像処理装置の処理状態を確認する。そして確認された処理状態において、画像処理装置がリモコン装置より受付可能なリモコンコードの判別を行う。この判別には、処理状態と受け付け可能リモコンコードとを予め関連付けて記録したリモコンコード管理テーブル（＝関連情報）を用いる。なおリモコンコード管理テーブルは、ハードディスク等の記録装置（＝記録手段）に記録されている。定期判別部により受付可能と判別されたリモコンコードを示す情報（＝受付可能情報）は、受付可能情報送信部（＝受付可能情報送信手段）により、信号送信部を用いてリモコン装置に送信される。
【００１８】
また、上記目的を達成するために本発明の画像処理装置は、リモコン装置から信号を受信し、前記信号に含まれるリモコンコードに基づいて動作可能な画像処理装置であって、前記リモコン装置に対して信号を送信する信号送信手段と、前記リモコンコードを受け付けた際に、前記リモコンコードに含まれる指示により前記画像処理装置の処理状態が変化するかどうかを判定する状態変化判定手段と、前記処理状態と前記処理状態において受付可能なリモコンコードとを関連付けた関連情報を記録する記録手段と、前記状態変化判定手段により前記処理状態が変化すると判定された際に、変化後の処理状態において前記画像処理装置が受付可能なリモコンコードを前記関連情報を用いて判別する変化時判別手段と、前記変化時判別手段により判別された前記リモコンコードを示す受付可能情報を、前記信号送信手段を用いて前記リモコン装置に対して送信する受付可能情報送信手段とを備えたことを特徴としている。
【００１９】
これによると、本発明の画像処理装置は、外部のリモコン装置から信号を受信する信号受信部を備えている。そして受信した信号に含まれるリモコンコードに基づいて、動作可能である。また本発明の画像処理装置は、リモコン装置に対して信号を送信する信号送信部を備えている。画像処理装置は複数の処理状態を備えており、例えばテレビ放送の録画処理を行う録画処理状態、或いはユーザより録画予約を受け付けるためのＯＳＤ（on-screen display）表示処理を行うＯＳＤ表示処理状態等の処理状態が存在する。そして処理状態毎に、受け付け可能なリモコンコードの種別が異なる。リモコンコードを受信した際に、状態変化判定部（＝状態変化判定手段）が、リモコンコードに含まれる指示により、画像処理装置の処理状態が変化するかどうかの判定を行う。そして変化したと判定された場合に、変化時判別部（＝変化時判別手段）が、変化後の処理状態において受付可能なリモコンコードの判別を行う。この判別には、処理状態と受け付け可能リモコンコードとを予め関連付けて記録したリモコンコード管理テーブル（＝関連情報）を用いる。なおリモコンコード管理テーブルは、ハードディスク等の記録装置（＝記録手段）に記録されている。変化時判別部により状態変化後に受付可能と判別されたリモコンコードを示す情報（＝受付可能情報）は、受付可能情報送信部（＝受付可能情報送信手段）により、信号送信部を用いてリモコン装置に送信される。
【００２０】
また、上記目的を達成するために本発明のリモコン装置は、バックライトを備えた操作ボタン群と、前記操作ボタン群の操作を検知した際に、前記操作に対応するリモコンコードを画像処理装置に送信するリモコンコード送信手段とを備えたリモコン装置であって、前記画像処理装置から信号を受信する信号受信手段と、前記信号受信手段を用いて請求項３または請求項４に記載の前記画像処理装置から前記受付可能情報を含む信号を受信する受付可能情報受信手段と、受信した前記受付可能情報に基づき、前記画像処理装置が受付可能なリモコンコードを判別し、判別した前記リモコンコードを前記リモコンコード送信手段を用いて送信するための操作ボタンを前記操作ボタン群の中から判別する操作可能ボタン判別手段と、前記操作可能ボタン判別手段により判別された前記操作ボタンのバックライトを点灯させる点灯手段とを備えたことを特徴としている。
【００２１】
これによると、本発明のリモコン装置は、操作ボタン群の一部或いは全部の操作ボタンにバックライトを備えている。また、操作対象の画像処理装置から信号を受信する信号受信部を備えている。受付可能情報受信部（＝受付可能情報受信手段）は、信号受信部を用いて、画像処理装置から受付可能情報含む信号を受信する。そして受信された信号に含まれる受付可能情報に基づき、操作可能ボタン判別部（＝操作可能ボタン判別手段）が、画像処理装置が受付可能であるリモコンコードを送信するための操作ボタン（＝操作可能ボタン）を、操作ボタン群の中から判別する。判別結果はバックライト点灯部（＝点灯手段）に与えられる。バックライト点灯部は判別結果に基づき、操作可能ボタンのバックライトを点灯させる。
【００２２】
また、上記目的を達成するために本発明のリモコン装置は、前記操作可能ボタン判別手段が、前記画像処理装置が受付可能なリモコンコードを前記リモコンコード送信手段を用いて送信するために長押し操作が必要な操作ボタンを前記操作ボタン群の中から判別し、前記点灯手段が、前記操作可能ボタン判別部により長押し操作が必要であると判別された前記操作ボタンのバックライトを点滅させることを特徴としている。
【００２３】
これによると、本発明のリモコン装置は、操作可能ボタン判別部が操作可能ボタンを操作ボタン群の中から判別する際に、通常操作ではなく、長押し操作（＝所定時間を越えてボタン押下し続けることにより有効と見なされる操作）が可能である操作ボタンを判別する。判別された長押し操作可能ボタンは、バックライト点灯部に通知される。バックライト点灯部はこの通知に基づき、長押し操作可能ボタンのバックライトの点滅（＝所定の間隔で点灯と消灯とを繰り返す）を行う。
【発明の効果】
【００２４】
本発明によれば、処理状態毎に受け付け可能なリモコンコードの種別が異なる画像処理装置において、定期的に処理状態の判別を行い、各処理状態において受付可能なリモコンコードの判別を行う。そして受付可能なリモコンコードを示す受付可能情報を、外部のリモコン装置に送信する。従って外部のリモコン装置は、画像処理装置が現在受け付け可能なリモコンコードを定期的に認識することが可能である。これによってリモコン装置は、画像処理装置の状態に応じて、例えば操作可能ボタンを判別してユーザに通知することが可能である。また、画像処理装置の状態に応じて、リモコン側が送信するリモコンコードを制限する等の処理を行うことも可能である。
【００２５】
また本発明によれば、処理状態毎に受け付け可能なリモコンコードの種別が異なる画像処理装置において、外部のリモコン装置からリモコンコードを受け付けた際に、リモコンコードに起因する処理によって処理状態の変化が発生するかどうかの判定を行う。処理状態の変化が発生する場合、変化後の処理状態において受付可能なリモコンコードの判別を行う。そして受付可能なリモコンコードを示す受付可能情報を、外部のリモコン装置に送信する。従って外部のリモコン装置は、送信したリモコンコードにより画像処理装置の処理状態が変化した場合に、画像処理装置が現在受け付け可能なリモコンコードを確実に知ることが可能である。これによってリモコン装置は、画像処理装置の状態に応じて、例えば操作可能ボタンを判別してユーザに通知することが可能である。また、画像処理装置の状態に応じて、リモコン側が送信するリモコンコードを制限する等の処理を行うことも可能である。
【００２６】
また本発明によれば、リモコン装置の操作ボタン群の一部或いは全部にバックライトを備えている。そして操作対象の画像処理装置から受付可能情報含む信号を受信する信号受信部を備えている。そして受信された信号に含まれる受付可能情報に基づき、操作ボタン群の中から操作可能ボタン、つまり画像処理装置が現在受け付けてくれるリモコンコードを送信するボタンを、バックライトを用いて点灯させる。このためユーザは、画像処理装置の処理状態に応じて、リモコン装置の操作可能ボタンを容易に視認することができる。このためリモコン装置の操作性を向上させると共に、無効ボタンの押下等の操作ミスを防止することができる。
【００２７】
また本発明によれば、リモコン装置は、信号受信部により受信した信号に含まれる受付可能情報に基づき、長押し操作が可能である操作ボタンを判別する。そして長押し操作可能ボタンのバックライトの点滅を行う。このためユーザは、画像処理装置の処理状態に応じて、リモコン装置の長押し可能ボタンを容易に視認することができる。このためリモコン装置の操作性を向上させると共に、長押しボタンを通常ボタンと間違えて短く押す等の操作ミスを防止することができる。
【発明を実施するための最良の形態】
【００２８】
以下に本発明の実施形態を、図面を参照しながら説明する。なお、ここで示す実施形態は一例であり、本発明はここに示す実施形態に限定されるものではない。
【００２９】
［実施の形態１］
〈１−１．画像処理装置の内部構成について〉
図３は、本発明の第一の実施形態に係るＤＶＤレコーダ内蔵液晶テレビ１（＝画像処理装置）を示す構成図である。ＤＶＤレコーダ内蔵液晶テレビ１は、少なくとも、制御部１１、メモリ１２、ハードディスク１３（＝記録手段）、データ入力部１４、エンコーダ部１５、画像信号生成部１６、信号受信部１７、信号送信部１８（＝信号送信手段）、フロントパネル１９、操作ボタン群２０、ＯＳＤ生成部２１、ＬＣＤモジュール２２、ビデオクロマ処理回路２３、ＬＣＤコントローラ２４、及び光ディスクドライブ２５を含むように構成されている。
【００３０】
制御部１１は、ＤＶＤレコーダ内蔵液晶テレビ１の各部材の駆動を制御することにより画像情報処理、例えば受信したテレビ番組の録画或いは再生等を統括制御するためのものであり、例えば複数のマイクロプロセッサから構成されている。また制御部１１は、各装置（例えばハードディスク１３等）の制御やデータの計算、加工処理等を行なう中枢部分となっている。なお、制御部１１が備える各機能部（処理状態確認部１１ａ〜受付可能コード送信部１１ｃ）の詳細については後述する。
【００３１】
メモリ１２は、ＤＶＤレコーダ内蔵液晶テレビ１が保持する各種データを一時的に記録する媒体であり、例えば書込可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００３２】
ハードディスク１３は、ＤＶＤレコーダ内蔵液晶テレビ１が保持する録画データ等を記録するための磁気記録媒体である。なお、ハードディスク１３は、複数の領域（＝パーティション）に分割されており、記録するデータの種別に応じて領域別に記録することがより望ましい。ハードディスク１３は少なくとも、録画データを記録する録画データ記録領域１３ａと、録画データのインデックス等の管理情報を記録する管理情報記録領域１３ｂとを含むように構成されている。
【００３３】
データ入力部１４は、例えばデジタルチューナー等の外部装置からデジタルデータを入力するための入力インターフェースである。また、例えばアナログデータを入力する場合は、Ａ／Ｄコンバータ（Analog Digital Converter）を用いてアナログの動画データ及び音声データをデジタルデータに変換して入力することが可能である。
【００３４】
エンコーダ部１５は、動画データをＭＰＥＧ２等の動画圧縮方式により圧縮を行ったり、音声データをＤｏｌｂｙ  ＡＣ−３やＬＰＣＭ等の音声圧縮方式により圧縮を行ったりする。なお、圧縮を行うデータとしては、例えばデータ入力部１４より入力された動画データ及び音声データ等が対象となる。なお、入力された動画データが既になんからの圧縮方式で圧縮されている場合は、エンコードを行わないようにすることも可能である。
【００３５】
画像信号生成部１６は、ＤＶＤレコーダ内蔵液晶テレビ１が保持する画像情報、例えばハードディスク１３に記録されている録画データや、後述する光ディスクドライブ２５を用いて読み出した画像データを、モニターに出力するための画像信号に変換する。生成された画像信号は、後述するビデオクロマ処理回路２３に与えられる。
【００３６】
信号受信部１７は、リモコン装置（不図示）等の外部装置から赤外線ＬＥＤ等を用いた信号を受信し、信号に含まれる各種情報、例えばリモコンコード等を抽出する。抽出した情報は、制御部１１に与えられる。
【００３７】
信号送信部１８は、ＤＶＤレコーダ内蔵液晶テレビ１が保持する各種情報、例えば後述する受付可能情報等を信号に変換して送信する。例えば赤外線ＬＥＤ等を用いた赤外線信号等を、外部電子機器（例えばリモコン装置）の信号受信部に対して送信する。従って信号送信部１８により送信される信号を受信する外部装置は、赤外線ＬＥＤ等を用いた信号受信部を備えている必要がある。
【００３８】
フロントパネル１９は、ＤＶＤレコーダ内蔵液晶テレビ１の各種情報をユーザに対して表示する。操作ボタン群２０は、ユーザが番組の録画及び録画予約等の各種指示をＤＶＤレコーダ内蔵液晶テレビ１に対して行なうための入力インターフェースである。操作ボタン群２０により出力された指示は、制御部１１により受け付けられる。指示を受け付けた制御部１１は、指示の内容に基づいて各種処理を行う。
【００３９】
ＯＳＤ生成部２１は、画像信号生成部である。ＯＳＤ生成部２１は、ＤＶＤレコーダ内蔵液晶テレビ１が出力すべき情報をユーザが視認できる画像情報に変換し、変換した画像情報を後述するビデオクロマ処理回路２３に与える。これにより、ＯＳＤ生成部２１により生成された画像信号はＬＣＤモジュール２２に表示される。
【００４０】
ＬＣＤモジュール２２は、液晶パネル、バックライト、ソース側ドライバ、及びゲート側ドライバから構成される液晶表示装置である。なおバックライトの調光は、インバータ回路（不図示）内のインバータトランスを調光用パルスによりＯＮ／ＯＦＦさせてそのＯＮ時間を変化させることによるＰＷＭ制御により行われる。
【００４１】
ビデオクロマ処理回路２３は、ＲＧＢデコーダ、反転アンプ、コントラスト調整回路、及びゲイン調整回路等から構成される処理回路である。ビデオクロマ処理回路２３に画像信号が入力されると、Ｈ、Ｖ、ＣＳＹＮＣ等の各種同期信号をＬＣＤコントローラ２４に出力すると共に、入力された画像信号をＲＧＢ信号に分離する。分離されたＲＧＢ信号は、フレーム同期信号に基づいて反転されて反転ＲＧＢ信号となり、ＬＣＤモジュール２２のソース側ドライバに出力される。
【００４２】
ＬＣＤコントローラ２４は、ビデオクロマ処理回路２３が反転ＲＧＢ信号をＬＣＤモジュール２２に出力する際に用いる水平同期信号をビデオクロマ処理回路２３へ出力する。またＬＣＤコントローラ２４は、ＬＣＤモジュール２２が備えるゲート側ドライバ及びソース側ドライバを駆動制御するための各種制御信号を生成してＬＣＤモジュール２４へ出力する。
【００４３】
光ディスクドライブ２５は、ＣＤメディア、或いはＤＶＤメディア等の光ディスクに対して光学的に各種データの書き込みを行うための光学装置である。なお、光ディスクには複数の規格が存在するため、光ディスクドライブ２５の規格に応じた光ディスクを使用しなければ、各種処理（録画等）を行うことができない。
【００４４】
〈１−２．リモコン装置の内部構成について〉
図４は、本発明の第一の実施形態に係るＤＶＤレコーダ内蔵液晶テレビ１が備えるリモコン装置３０を示す構成図である。リモコン装置３０は、少なくとも、制御部３１、メモリ３２、ＲＯＭ３３、信号受信部３４（＝信号受信手段）、リモコンコード送信部３５（＝リモコンコード送信手段）、操作ボタン群３６、及びバックライト３７を含むように構成されている。
【００４５】
制御部３１は、リモコン装置３０の各部材の駆動を制御することによりリモコンコード送信処理を統括制御するためのものであり、例えば複数のマイクロプロセッサから構成されている。また制御部３１は、各装置（例えばメモリ３２等）の制御やデータの計算、加工処理等を行なう中枢部分となっている。なお、制御部３１が備える各機能部（受付可能コード受信部３１ａ〜バックライト点灯部３１ｃ）の詳細については後述する。
【００４６】
メモリ３２は、リモコン装置３０が保持する各種データを一時的に記録する媒体であり、例えば書込可能なＲＡＭ（Random Access Memory）等により構成されている。メモリ３２は、例えば制御部３１によって各種情報処理が行われる際の処理データや、ユーザから受けた指示命令等を一時的に記録しておくためのバッファメモリとしての役割を持つ。
【００４７】
ＲＯＭ（Read Only Memory）３３は、例えば制御部３１を用いた各種処理（例えばバックライト点滅処理等）を行うためのプログラムデータを記録するための媒体であり、ユーザは情報の読み出しのみが可能となっている。
【００４８】
信号受信部３４は、ＤＶＤレコーダ内蔵液晶テレビ１等の画像処理装置から赤外線ＬＥＤ等を用いた信号を受信し、信号に含まれる各種情報、例えば後述する受付可能情報等を抽出する。抽出した情報は、制御部３１に与えられる。
【００４９】
リモコンコード送信部３５は、後述する操作ボタン群３６がユーザ操作を受け付けた際に、操作に対応するリモコンコードを外部装置へ送信する。具体的には、制御部３１よりリモコンコードの発信命令を受信し、指示された命令の内容をもとにリモコンコードの発信波形の作成を行う。リモコンコードは、例えば赤外線ＬＥＤ等を用いて外部画像処理装置（例えばＤＶＤレコーダ内蔵液晶テレビ１等）の信号受信部に対して送信される。
【００５０】
操作ボタン群３６は、ユーザが番組の録画及び録画予約等の各種指示をＤＶＤレコーダ内蔵液晶テレビ１に対して行なうための入力インターフェースである。操作ボタン群３６により出力された指示は、制御部３１により受け付けられ、リモコンコードに変換される。リモコンコードは、リモコンコード送信部３５によりＤＶＤレコーダ内蔵液晶テレビ１に送信される。
【００５１】
バックライト３７は、操作ボタン群３６の背面に位置し、操作ボタン群３６が備える個々の操作ボタン毎に点灯、消灯、および点滅が可能なＬＥＤを含む照明装置である。バックライト３７は例えば、有効ボタンを示す場合に点灯、無効ボタンを示す場合に消灯、長押しボタンを示す場合に点滅するように制御部３１により制御される。
【００５２】
〈１−３．画像処理装置の機能部の構成について〉
ここで、本発明の第一の実施形態に係るＤＶＤレコーダ内蔵液晶テレビ１が備える受付可能コード（＝受付可能情報）の送信処理を実施するための各機能部の構成を、図１の機能ブロック図を用いながら説明する。
【００５３】
図１に示すように本発明の受付可能コード送信処理は少なくとも、制御部１１が備える処理状態確認部１１ａ（＝処理状態確認手段）、定期判別部１１ｂ（＝定期判別手段）、及び受付可能コード送信部１１ｃ（＝受付可能情報送信手段）と、ハードディスク１３と、信号送信部１８とにより実施される。
【００５４】
処理状態確認部１１ａは、ＤＶＤレコーダ内蔵液晶テレビ１の各部材の動作状況を確認し、ＤＶＤレコーダ内蔵液晶テレビ１がどのような画像処理を行っている状態であるかを確認する。なおここでいう処理状態とは、例えば録画予約画面の表示処理、録画処理、機器設定画面の表示処理等の、ユーザがＬＣＤモジュール２４を用いて認識でき、かつ操作ボタン群１８、或いはリモコン装置３０の操作に影響を与える処理に関する処理状態を示す。ユーザが認識できない、或いは認識できてもユーザ操作に影響を与えない内部処理（例えばＤＶＤドライブ２５のトラッキング処理等）の処理状態については、処理状態確認部１１ａは確認を行わない。
【００５５】
定期判別部１１ｂは、所定の周期、例えば１秒毎に処理状態確認部１１ａを用いてＤＶＤレコーダ内蔵液晶テレビ１の処理状態を確認する。そして得られた確認結果と、ハードディスク１３より読み出したリモコンコード管理テーブル（＝関連情報）とを用いて、現在の処理状態においてＤＶＤレコーダ内蔵液晶テレビ１がリモコン装置３０より受付可能な一または複数のリモコンコードを判別する。判別されたリモコンコードを示す受付可能コードは、受付可能コード送信部１１ｃに与えられる。
【００５６】
受付可能コード送信部１１ｃは、定期判別部１１ｂより与えられた受付可能コードに関する情報を送信するための信号を、信号送信部１８を用いて作成し、リモコン装置３０の信号受信部３４に対して送信する。
【００５７】
〈１−４．リモコン装置の機能部の構成について〉
ここで、本発明の第一の実施形態に係るリモコン装置３０が備える操作可能ボタン通知機能を構成する各機能部の関係を、図２の機能ブロック図を用いながら説明する。
【００５８】
図２に示すように本発明の録画管理機能は少なくとも、制御部３１が備える受付可能コード受信部３１ａ（＝受付可能情報受信手段）、操作可能ボタン判別部３１ｂ（＝操作可能ボタン判別手段）、及びバックライト点灯部３１ｃ（＝点灯手段）と、ＲＯＭ３３と、信号受信部３４と、バックライト３７とにより構成される。
【００５９】
受付可能コード受信部３１ａは、ＤＶＤレコーダ内蔵液晶テレビ１の信号送信部１８から送信された信号を受信し、信号に含まれるＤＶＤレコーダ内蔵液晶テレビ１の受付可能コードに関する情報を取得する。取得された受付可能コードは、操作可能ボタン判別部３１ｂに与えられる。
【００６０】
操作可能ボタン判別部３１ｂは、受付可能コード受信部３１ａより与えられたＤＶＤレコーダ内蔵液晶テレビ１の受付可能コードより、現在ＤＶＤレコーダ内蔵液晶テレビ１がリモコン装置３０より受付可能な一または複数のリモコンコードを判別する。そして判別したリモコンコードを送信するために用いられる操作ボタンを、ＲＯＭ３３に記録されているリモコンコード管理情報を用いて、操作ボタン群３６の中から抽出する。抽出された操作ボタンに関する情報は、バックライト点灯部３１ｃに与えられる。
【００６１】
バックライト点灯部３１ｃは、バックライト３７の点滅処理を行うことにより、操作可能ボタンをユーザに通知する。具体的には、操作可能ボタン判別部３１ｂが抽出した操作ボタン（＝ＤＶＤレコーダ内蔵液晶テレビ１が受付可能なリモコンコードを送信するための操作ボタン）の背後に備えられているバックライトを、バックライト３７の制御を行うことにより点灯させる。また、操作可能ボタン判別部３１ｂにより抽出されなかった操作ボタンのバックライトを消灯する。また、リモコンコードを発信するのに長押し操作必要である操作ボタンについては、バックライトの点滅を繰り返すようにバックライト３７を制御する。
【００６２】
〈１−５．リモコン装置の操作ボタン群について〉
ここで、本発明の第一の実施形態に係るリモコン装置３０が備える操作ボタン群３６の詳細について、図７の模式図を用いながら説明する。
【００６３】
図７（ａ）は、リモコン装置３０の表面に備えられた操作ボタン群３６の一例を示した模式図である。図７（ａ）に示すように操作ボタン群３６は、電源ボタン４１、共通ボタン群４２、モード切り替えボタン群４３、及びバックライト搭載ボタン群４４を含むように構成されている。
【００６４】
電源ボタン４１は、ＤＶＤレコーダ内蔵液晶テレビ１の電源を起動させるためのリモコンコードを送信するためのボタンである。共通ボタン群４２は、ＤＶＤレコーダ内蔵液晶テレビ１が電源起動状態であれば必ず受け付けられるリモコンモードを発信するための機能固定ボタンである。例えば音声ボリューム調整ボタン等がこれに該当する。モード切り替えボタン群４３は、ＤＶＤレコーダ内蔵液晶テレビ１のＤＶＤモード（＝ＤＶＤの視聴を行うためのモード）とＴＶモード（＝チューナにより受信した方法を視聴するためのモード）との切り替えを行うためのボタンである。
【００６５】
バックライト搭載ボタン群４４は、ＤＶＤレコーダ内蔵液晶テレビ１の処理状態によって受付可／不可が変化するリモコンコードを送信するためのボタンであり、背後にバックライト３７が備えられている。バックライト搭載ボタン群４４は透明、または半透明な部材で構成されており、従ってバックライト３７の点灯を視認することが可能である。バックライト搭載ボタン群４４には、例えば数字ボタンやカーソルボタン等が含まれている。
【００６６】
バックライト搭載ボタン群４４の一部が点灯した一例を示したのが図７（ｂ）である。図７（ｂ）においては、バックライト搭載ボタン群４４のうち、一段目中央、二段目左右、三段目中央の四ボタンが点灯している。従って、この四ボタンのみが操作可能（＝ＤＶＤレコーダ内蔵液晶テレビ１が受信可能なリモコンコードを送信するための操作ボタン）であることを示している。
【００６７】
逆にバックライト搭載ボタン群４４の中で、上記四ボタンを除くボタンのバックライトが消灯しているため、これらのボタン群による操作を行ってもＤＶＤレコーダ内蔵液晶テレビ１はリモコンコードを受け付けない。従ってユーザは操作を行ったとしても、応答を得ることができない。
【００６８】
〈１−６．受付可能コードの送信処理について〉
ここで、本発明の第一の実施形態に係るＤＶＤレコーダ内蔵液晶テレビ１がリモコン装置３０に対して行う受付可能コードの送信処理を、図１及び図３のブロック図と、図５のフロー図と、図８〜図１０の画面図及び模式図とを用いながら説明する。
【００６９】
図５は、本発明の第一の実施形態に係る受付可能コードの送信処理の処理フローを示したフローチャートである。本処理は、制御部１１がＤＶＤレコーダ内蔵液晶テレビ１の電源起動を検知した際に開始される。
【００７０】
電源投入を検知した制御部１１は、ステップＳ１１０において、ハードディスク１３よりリモコンコード管理テーブルの読み出しを行う。次に定期判別部１１ｂはステップＳ１２０において、処理状態確認部１１ａを用いて、ＤＶＤレコーダ内蔵液晶テレビ１の処理状態確認処理を行う。これによりＤＶＤレコーダ内蔵液晶テレビ１の現在の処理状態、例えばＤＶＤ再生処理中や、録画予約設定画面表示処理中等の処理状態が特定される。
【００７１】
次に定期判別部１１ｂはステップＳ１３０において、特定した処理状態においてＤＶＤレコーダ内蔵液晶テレビ１がリモコン装置３０より受付可能な一または複数のリモコンコードである受付可能コードを、リモコンコード管理テーブルを用いて特定する。例えば処理状態が再生中である場合、図１０に示すように、「ＲＥＷ」ボタン、或いは「ＦＦ」ボタン等の押下により発信されるリモコンコードが受付可能コードであると特定される。特定された受付可能コードは、受付可能コード送信部１１ｃに与えられる。
【００７２】
定期判別部１１ｂより受付可能コードを与えられた受付可能コード送信部１１ｃは、ステップＳ１４０において、特定された受付可能コードを、信号送出部１８を用いて赤外線信号に変換してリモコン装置３０に送信する。
【００７３】
次に制御部１１は、ステップＳ１５０において、ＤＶＤレコーダ内蔵液晶テレビ１の電源停止命令を検知したかどうかの判定を行う。電源停止命令は、例えばユーザが操作ボタン群１８に含まれる電源ボタンの押下を行った場合等に発行される。電源停止命令を検知した場合、制御部１１はステップＳ１６０において、ＤＶＤレコーダ内蔵液晶テレビ１の電源停止が行われたことを示す電源停止通知を、信号送信部１８を用いてリモコン装置３０に送信し、本処理を終了する。
【００７４】
逆にステップＳ１５０において電源停止命令を検知しなかった場合、定期判別部１１ｂはステップＳ１５５において、ステップＳ１２０が実施されてから所定時間、例えば１秒が経過したかどうかの判定を行う。所定時間を経過していると判定された場合はステップＳ１２０に移行する。所定時間を経過していないと判定された場合は、ステップＳ１５０に移行し、同様の処理を繰り返し行う。
【００７５】
〈１−７．受付可能コードの受信処理について〉
ここで、本発明の第一の実施形態に係るリモコン装置３０が行う受付可能コードの受信処理を、図２及び図４のブロック図と、図６のフロー図と、図７の模式図と、図８〜図１０の画面図及び模式図を用いながら説明する。
【００７６】
図６は、本発明の第一の実施形態に係る受付可能コードの受信処理の処理フローを示したフローチャートである。本処理は、ＤＶＤレコーダ内蔵液晶テレビ１の電源が起動され、リモコン装置３０による操作可能状態となった際に開始される。
【００７７】
操作可能状態におけるリモコン装置３０において、受付可能コード受信部３１ａはステップＳ２１０において、ＤＶＤレコーダ内蔵液晶テレビ１より受付可能コードに関する情報を含む赤外線信号を受信したかどうかの判定を行う。なお赤外線信号は信号受信部３４を用いて受信され、受信された信号が情報に変換されて受付可能コード受信部３１ａに与えられる。情報を与えられた受付可能コード受信部３１ａは、情報の中に受付可能コードに関する情報が存在するかどうかを判定する。
【００７８】
ステップＳ２１０において、受付可能コードに関する情報を含む赤外線信号の受信が検知されなかった場合、引き続きステップＳ２１０の処理を行う。逆に受信が検知された場合、受付可能コード受信部３１ａは操作可能ボタン判別部３１ｂに対して受信した受付可能コードを与える。操作可能ボタン判別部３１ｂはステップＳ２２０において、与えられた受付可能コードが示すリモコンコードを出力するために用いる操作ボタンを、操作ボタン群３６の中から抽出する。具体的には、各リモコンコードと、各リモコンコードを送信するために用いる操作ボタンとの関連を示した関連付け情報をＲＯＭ３３より読み出して参照することにより、操作ボタンの抽出を行う。
【００７９】
次にバックライト点灯部３１ｃは、ステップＳ２３０において、操作可能ボタン判別部３１ｂが抽出した操作ボタンの背面に備えられたバックライト３７の点灯を行う。これにより例えば、図７（ａ）の状態の操作ボタン群が図７（ｂ）の状態に変化する。図７に示す例では、バックライト搭載ボタン群４４ａ及びバックライト搭載ボタン群４４ｃの全ボタンが点灯しているため、操作可能であることが示されている。またバックライトの点灯が行われていないバックライト搭載ボタン群４４ｂは、操作不能、つまり操作を行ってリモコンコードを送信したとしてもＤＶＤレコーダ内蔵液晶テレビ１が受け付けてくれないことを示している。
【００８０】
次に操作可能ボタン判別部３１ｂは、ステップＳ２４０において、与えられた受付可能コードが示すリモコンコードを出力するために長押し操作を必要とする操作ボタンが、操作ボタン群３６に存在するか判定する。なおこの判定も、ＲＯＭ３３に記録されている関連付け情報を読み出して参照することにより行う。長押し操作が必要な操作ボタンが存在しない場合は、後述するステップＳ２７０に移行する。
【００８１】
逆に長押し操作が必要な操作ボタンが存在する場合、バックライト点灯部３１ｃはステップＳ２５０において、操作可能ボタン判別部３１ｂが抽出した長押しボタンの背面に備えられたバックライト３７の点滅を行う。なお点滅の際の点灯時間と消灯時間との長さの比率は１：１であることが望ましいが、適宜変更可能である形態でもよい。
【００８２】
次に制御部３１はステップＳ２６０において、ＤＶＤレコーダ内蔵液晶テレビ１の電源停止を検知したかどうかの判定を行う。ＤＶＤレコーダ内蔵液晶テレビ１の電源停止検知は、例えばＤＶＤレコーダ内蔵液晶テレビ１が電源停止する際に送信する電源停止通知（図５のステップＳ１６０参照）を、信号受信部３４を用いて受信することにより行われる。或いは、リモコン装置３０から送信されるリモコンコードに対する応答を検知できなかった場合に、電源停止を検知する形態であっても良い。
【００８３】
ステップＳ２６０においてＤＶＤレコーダ内蔵液晶テレビ１の電源停止を検知しなかった場合、ステップＳ２１０に再び移行する。逆に電源停止を検知した場合、制御部３１はステップＳ２７０において、全てのバックライト３７を消灯して本処理を終了する。
【００８４】
〈１−８．受付可能コードの送信処理及び受信処理結果について〉
ここで、本発明の第一の実施形態に係るＤＶＤレコーダ内蔵液晶テレビ１及びリモコン装置３０により実施される受付可能コードの送信処理並びに受信処理の結果について、図８〜図１０の画面図及び模式図を用いながら説明する。
【００８５】
図８（ａ）は、本発明のＤＶＤレコーダ内蔵液晶テレビ１がＯＳＤ生成部２１を用いて表示するメニュー画面の一例である。また図８（ｂ）は、図８（ａ）のメニュー画面において操作可能なバックライト搭載ボタン群４４の一例を示した模式図である。なお図８（ｂ）においては、灰色に塗りつぶされているボタン（例えば「ＵＰ」）がＬＥＤにより点灯しているボタンを示している。
【００８６】
図８（ａ）に示す例では、メニュー画面において操作カーソルが「ＬＡＮＧＵＡＧＥ」にあわせられている。これはＯＳＤ表示に用いる言語を指定するための設定項目である。この状態において操作可能なボタンが、制御部１１及びハードディスク１３に記録されているリモコンコード管理テーブルにより判別され、リモコン装置３０に送られる。この結果、リモコン装置３０のバックライト搭載ボタン群４４に含まれる「ＬＥＦＴ」ボタン等の四ボタンのバックライトが点灯する。
【００８７】
ユーザはこの状態において、例えば「ＲＩＧＨＴ」ボタンを一回押下する毎に、「ＬＡＮＧＵＡＧＥ」が例えば「ＥＮＧＬＩＳＨ」→「ＪＡＰＡＮＥＳＥ」→「ＤＵＴＣＨ」といったように予め定められた順に切り替わる。またこの状態においてユーザは、バックライト搭載ボタン群４４に含まれる「ＵＰ」ボタン及び「ＤＯＷＮ」ボタンを押下することによりカーソルを移動させて、言語選択以外の項目設定に移行（例えば「ＴＩＭＥ  ＳＥＡＲＣＨ」）に移行することが可能である。
【００８８】
逆にこの状態においては、「ＥＮＴＥＲ」ボタン或いは「ＲＥＴＵＲＮ」ボタンを押下しても、メニュー画面上にこれらのボタンにより操作可能な対象が存在しないため、操作は無効化されてしまう。このため図８（ｂ）において、これらのボタンは消灯している状態となっている。
【００８９】
また図９（ａ）は図８（ａ）と同様、メニュー画面の一例である。また図９（ｂ）は図８（ｂ）と同様、図９（ａ）のメニュー画面において操作可能なバックライト搭載ボタン群４４の一例を示した模式図である。図９は、図８において「ＤＯＷＮ」ボタンが一回押下されることにより、ＤＶＤレコーダ内蔵液晶テレビ１の処理状態が変化した場合の画面、及びリモコン装置３０のボタン群の状態を示している。
【００９０】
図９（ａ）に示す例では、メニュー画面において操作カーソルが「ＴＩＭＥ  ＳＥＡＲＣＨ」にあわせられている。これはタイムサーチ機能（＝時間を指定することにより、再生開始点を任意の箇所までスキップする機能）を実施するための項目である。ここにカーソルがあわせられたことを状態処理確認部１１ａが検知すると、リモコンコード管理テーブルを参照し、受信可能コードがリモコン装置３０に送られる。この結果、「ＵＰ」ボタン等の三ボタンのバックライトが点灯する。
【００９１】
この状態においてユーザは、バックライト搭載ボタン群４４に含まれる「ＥＮＴＥＲ」ボタンを押下することにより、タイムサーチ画面（不図示）が表示される。また、バックライト搭載ボタン群４４に含まれる「ＵＰ」ボタン及び「ＤＯＷＮ」ボタンを押下することによりカーソルを移動させて、タイムサーチ機能以外の項目に移行（例えば「ＬＡＮＧＵＡＧＥ」）に移行することが可能である。
【００９２】
逆にこの状態においては、「ＬＥＦＴ」ボタン、「ＲＩＧＨＴ」ボタン、或いは「ＲＥＴＵＲＮ」ボタンを押下しても、メニュー画面上にこれらのボタンにより操作可能な対象が存在しないため、操作は無効化されてしまう。このため図９（ｂ）において、これらのボタンは消灯している状態となっている。
【００９３】
また図１０（ａ）は、光ディスクドライブ１７を用いてＤＶＤメディアから読み出した情報を再生している際の再生画面の一例である。また図１０（ｂ）は、図１０（ａ）の再生画面において操作可能なバックライト搭載ボタン群４４の一例を示した模式図である。なおここで再生されているＤＶＤメディアは再生専用ディスクであり、ＤＶＤメディアに対する記録はできないものとする。
【００９４】
図１０（ａ）に示す例では、ＤＶＤの再生画面において、再生中を示す「ＰＬＡＹ」が表示されている。この状態においてユーザは、再生の停止を行う「ＳＴＯＰ」ボタン、早送りを行う「ＦＦ」ボタン、逆再生を行う「ＲＥＷ」ボタン、一時停止を行う「ＰＡＵＳＥ」ボタンが操作可能である。このため図１０（ｂ）において、この四ボタンが点灯している。
【００９５】
逆にこの状態においては、録画を指示する「ＲＥＣ」ボタン、及び再生を指示する「ＰＬＡＹ」ボタンによる操作が不可能である。なぜならＤＶＤメディアが再生専用であるため、「ＲＥＣ」ボタンによる録画は実施できない。また、既に再生処理が開始されているため、再生開始を指示する「ＰＬＡＹ」ボタンを押下しても意味をなさない。このため図１０（ｂ）において、これらのボタンは消灯している状態となっている。
【００９６】
［実施の形態２］
〈２−１．画像処理装置の内部構成について〉
実施の形態１と同内容であるため、ここでは説明を省略する。
【００９７】
〈２−２．リモコン装置の内部構成について〉
実施の形態１と同内容であるため、ここでは説明を省略する。
【００９８】
〈２−３．画像処理装置の機能部の構成について〉
ここで、本発明の第二の実施形態に係るＤＶＤレコーダ内蔵液晶テレビ１が備える受付可能コードの送信処理を実施するための各機能部の構成を、図１１の機能ブロック図を用いながら説明する。
【００９９】
図１１に示すように本発明の受付可能コードの通知処理は少なくとも、制御部１１が備える状態変化判定部１１ｄ（＝状態変化判定手段）、変化時判別部１１ｅ（＝変化時判別手段）、及び受付可能コード送信部１１ｃと、ハードディスク１３と、信号受信部１７と、信号送信部１８とにより実施される。
【０１００】
状態変化判定部１１ｄは、信号受信部１７によりリモコン装置３０からのリモコンコードを受信した際に、受け付けたリモコンコードによりＤＶＤレコーダ内蔵液晶テレビ１の処理状態が変化するかどうかを判定する。なおここでいう処理状態とは、実施の形態１に示す処理状態と同様のものを指す。
【０１０１】
変化時判別部１１ｅは、処理状態の変化を発生させるリモコンコードを受信したと状態変化判定部１１ｄが判定した場合において、変化後の処理状態を確認する。そして得られた確認結果と、ハードディスク１３より読み出したリモコンコード管理テーブルとを用いて、変化後の処理状態においてＤＶＤレコーダ内蔵液晶テレビ１がリモコン装置３０より受付可能な一または複数のリモコンコードを特定する。特定されたリモコンコードについての情報は、受付可能コード送信部１１ｃに与えられる。
【０１０２】
受付可能コード送信部１１ｃ及び信号送信部１８については実施の形態１と同内容であるため、ここでは説明を省略する。
【０１０３】
〈２−４．リモコン装置の機能部の構成について〉
実施の形態１と同内容であるため、ここでは説明を省略する。
【０１０４】
〈２−５．リモコン装置の操作ボタン群について〉
実施の形態１と同内容であるため、ここでは説明を省略する。
【０１０５】
〈２−６．受付可能コードの送信処理について〉
ここで、本発明の第二の実施形態に係るＤＶＤレコーダ内蔵液晶テレビ１がリモコン装置３０に対して行う受付可能コードの送信処理を、図３及び図１１のブロック図と、図８〜図１０の画面図及び模式図と、図１２のフロー図とを用いながら説明する。
【０１０６】
図１２は、本発明の第二の実施形態に係る受付可能コードの送信処理の処理フローを示したフローチャートである。なお、実施の形態１の図５に示すフローチャートと同内容の処理については、同じステップ番号を付加することにより説明を省略するものとする。
【０１０７】
本処理は、制御部１１がＤＶＤレコーダ内蔵液晶テレビ１の電源起動を検知した際に開始される。電源投入を検知した制御部１１は、ステップＳ１０１において、信号受信部１７によるリモコンコードの受信が検知されたかどうかの判定を行う。リモコンコードが検知されなかった場合、検知されるまでステップＳ１０１を繰り返し行う。
【０１０８】
逆にリモコンコード受信が検知された場合、状態変化判定部１１ｄは、受信したリモコンコードによりＤＶＤレコーダ内蔵液晶テレビ１の処理状態が変化するかどうかの判定を行う。判定を行う具体的な方法としては、例えば各リモコンコードと各リモコンコードによって引き起こされる処理状態の変化とを関連付けて記録した関連付けテーブルを予めハードディスク１３に記録しておき、この関連付けテーブルを読み出して参照することにより行う。なお、処理状態の変化が発生するリモコンコードとしては、例えばテレビ／ＤＶＤのモード切り替えを指示するリモコンコード等があげられる。
【０１０９】
ステップＳ１０２において、受信したリモコンコードにより処理状態の変化が発生すると判定された場合は、次のステップＳ１１０に移行する。逆に処理状態の変化が発生しないと判定された場合、再びステップＳ１０１に移行する。
【０１１０】
ステップＳ１１０〜ステップＳ１４０については実施の形態１と同内容であるため、ここでは説明を省略する。ステップＳ１４０の後、制御部１１はステップＳ１５１において、ＤＶＤレコーダ内蔵液晶テレビ１の電源停止命令を検知したかどうかの判定を行う。電源停止命令は、例えばユーザが操作ボタン群１８に含まれる電源ボタンの押下を行った場合等に発行される。
【０１１１】
電源停止命令を検知した場合、制御部１１はステップＳ１６０において、ＤＶＤレコーダ内蔵液晶テレビ１の電源停止が行われたことを示す電源停止通知を、信号送信部１８を用いてリモコン装置３０に送信し、本処理を終了する。逆にステップＳ１５１において電源停止命令を検知しなかった場合、再びステップＳ１０１に移行する。
【０１１２】
〈２−７．受付可能コードの受信処理について〉
実施の形態１と同内容であるため、ここでは説明を省略する。
【０１１３】
〈２−８．受付可能コードの送信処理及び受信処理結果について〉
実施の形態１と同内容であるため、ここでは説明を省略する。
【０１１４】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【０１１５】
従って本発明は、以下の形態にも適用可能である。
（Ａ）本実施形態では、ＤＶＤレコーダ内蔵液晶テレビ１が保持するリモコンコード管理テーブルをハードディスク１３に記録する形態を例として説明したが、これ以外の記録媒体、例えばＲＯＭ（不図示）やメモリ１２にリモコンコード管理テーブルが記録されている形態であってよもよい。
【０１１６】
（Ｂ）本実施形態では、操作ボタン群のバックライト点灯処理に関わる各種機能部が、マイクロプロセッサ等の演算処理装置上でプログラムを実行することにより実現されているが、各種機能部が複数の回路により実現される形態でもよい。
【０１１７】
（Ｃ）本実施形態では、リモコン装置により操作する電子機器の具体例として画像処理装置であるＤＶＤレコーダ内蔵液晶テレビ１を例として説明したが、これ以外の電子機器において本発明のリモコンボタン点灯機能が用いられたとしても、同様の効果が得ることができる。例えば、ハードディスクレコーダ、ＶＣＲ／ＤＶＤ複合機、パソコン、デジタルビデオカメラ、エアコン、カーナビゲーション等において用いられる形態でもよい。
【０１１８】
（Ｄ）本実施形態では、ＤＶＤレコーダ内蔵液晶テレビ１の各装置部がＤＶＤレコーダ内蔵液晶テレビ１の内部に備わっている構成を例として説明したが、制御部１１、或いはハードディスク１３等の各装置部の一部がネットワークを介して接続された外部装置により実現される形態であってもよい。例えば、ハードディスク１３が、ネットワーク上に存在する共有記録媒体（ネットワークドライブ等）に記録されており、複数のＤＶＤレコーダ内蔵液晶テレビ１から共有記録媒体に記録された録画データの参照或いは編集を行える形態であってもよい。
【０１１９】
（Ｅ）本実施形態では、リモコン装置３０がＬＥＤ発光によるバックライト３７を備えている構成であるが、バックライト３７がＬＥＤ以外の発光部材、例えば有機発光素子等を用いて発光する形態であってもよい。
【０１２０】
（Ｆ）本実施形態では、リモコン装置３０が備える操作ボタン群３６はバックライト３７により操作可／不可を示しているが、これ以外の部材を用いて操作可／不可をユーザに通知する形態であってもよい。例えば液晶タッチパネルを備えた液晶方式のリモコン装置において、操作可能ボタンを表示、操作不可能ボタンを非表示（或いは半透明）にする等により、操作可／不可を示す形態であってもよい。
【０１２１】
（Ｇ）本実施形態では、長押し操作が可能な操作ボタンのバックライトを点滅処理により示しているが、点滅処理する操作ボタンが長押し操作とは異なる操作を受け付けるボタンを示している形態であってもよい。例えば特定の特種ボタン（機能切替ボタン等）と同時押しすることにより出力されるリモコンコードが変化するボタンを、点滅により通知する形態であってもよい。
【図面の簡単な説明】
【０１２２】
【図１】は、本発明の第一の実施形態に係る画像処理装置が備える機能部の構成を示す機能ブロック図である。
【図２】は、本発明のリモコン装置が備える機能部の構成を示す機能ブロック図である。
【図３】は、本発明の画像処理装置の構成を示すブロック図である。
【図４】は、本発明のリモコン装置の構成を示すブロック図である。
【図５】は、本発明の第一の実施形態に係る受付可能コード送信処理の処理フローを示したフロー図である。
【図６】は、本発明の受付可能コード受信処理の処理フローを示したフロー図である。
【図７】は、本発明のリモコン装置の外観を示す模式図である。
【図８】は、本発明の画像処理装置の処理状態と、リモコン装置の使用可能ボタンとの関係の一例を示した画面図及び模式図である。
【図９】は、本発明の画像処理装置の処理状態と、リモコン装置の使用可能ボタンとの関係の一例を示した画面図及び模式図である。
【図１０】は、本発明の画像処理装置の処理状態と、リモコン装置の使用可能ボタンとの関係の一例を示した画面図及び模式図である。
【図１１】は、本発明の第二の実施形態に係る画像処理装置が備える機能部の構成を示す機能ブロック図である。
【図１２】は、本発明の第二の実施形態に係る受付可能コード送信処理の処理フローを示したフロー図である。
【符号の説明】
【０１２３】
１      ＤＶＤレコーダ内蔵液晶テレビ１（画像処理装置）
１１    制御部
１１ａ  処理状態確認部（処理状態確認手段）
１１ｂ  定期判別部（定期判別手段）
１１ｃ  受付可能コード送信部（受付可能情報送信手段）
１１ｄ  状態変化判定部（状態変化判定手段）
１１ｅ  変化時判別部（変化時判別手段）
１３    ハードディスク（記録手段）
１８    信号送信部部（信号送信手段）
３１    制御部
３１ａ  受付可能コード受信部（受付可能情報受信手段）
３１ｂ  操作可能ボタン判別部（操作可能ボタン判別手段）
３１ｃ  バックライト点灯部（点灯手段）
３５    リモコンコード送信部（リモコンコード送信手段）
３６    操作ボタン群
【図１】
2008199293.tif 000003
【図２】
2008199293.tif 000004
【図３】
2008199293.tif 000005
【図４】
2008199293.tif 000006
【図５】
2008199293.tif 000007
【図６】
2008199293.tif 000008
【図７】
2008199293.tif 000009
【図８】
2008199293.tif 000010
【図９】
2008199293.tif 000011
【図１０】
2008199293.tif 000012
【図１１】
2008199293.tif 000013
【図１２】
2008199293.tif 000014